(57)【要約】【課題】給湯機の制御装置の検査装置において、安価に短時間に検査できるようにする。【解決手段】給湯機の制御装置１に対する検査装置７は、給湯機の制御装置１とリモートコントローラ１２との通信手段と同一回路の２線式信号線１１を用いて、駆動する負荷２を指定した通信信号を給湯機の制御装置１へ送信し、給湯機の制御装置１の燃焼制御装置４は、駆動する負荷２を指定した通信信号に従って負荷２を駆動するように構成し、シーケンスに頼らずに指定した負荷２を駆動できるようにした。【選択図】      図１
2004226004.tif 000002
【特許請求の範囲】
【請求項１】
リモートコントローラと給湯機の制御装置を２線式信号線で接続するとともに、信号の送信元を示すソースアドレスと受信先を示すディスティネーションアドレスと信号の内容を示すパケットファンクションコードと実際の情報を示すデータ部とから構成される通信信号にて相互に通信するように構成し、給湯機の制御装置には通信信号を受信する受信装置と受信装置からの信号に従って燃焼制御を行う燃焼制御装置と燃焼制御装置からの情報をリモートコントローラへ送信する送信装置とを設け、燃焼制御装置は、受信装置を介してリモートコントローラと給湯機との通信信号に使用されていない特定の組み合わせのソースアドレスとパケットファンクションコードを受信した場合に、データ部に記された情報に従い燃焼制御装置に接続された負荷を駆動するように構成し、２線式信号線に前記特定の組み合わせのソースアドレスとパケットファンクションコードと駆動する負荷を指定したデータ部とから構成される通信信号を送出してそのときの負荷の状態を判定する検査制御装置を設けた給湯機の制御装置の検査装置。
【請求項２】
燃焼制御装置は、前記特定の組み合わせのソースアドレスとパケットファンクションコードとデータ部を一定回数以上一致して連続受信したときにデータ部に記された情報に従い制御装置に接続された負荷を駆動する構成とした請求項１記載の給湯機の制御装置の検査装置。
【請求項３】
燃焼制御装置は、前記特定の組み合わせのソースアドレスとパケットファンクションコードとデータ部に従って負荷を駆動しているときに、一定時間以内に同一のソースアドレスとパケットファンクションコードの信号を受信しないと負荷の駆動を停止する構成とした請求項１記載の給湯機の制御装置の検査装置。
【請求項４】
前記特定の組み合わせのソースアドレスとパケットファンクションコードとデータ部におけるデータ部を、各１ビット毎に駆動する負荷を割り当てた構成とした請求項１記載の給湯機の制御装置の検査装置。
【発明の詳細な説明】
【０００１】
【発明の属する技術分野】
本発明は、給湯機の制御装置の検査装置に関するものである。
【０００２】
【従来の技術】
従来、給湯機の制御装置を組み立てた後の動作検査は、実際の給湯機のシーケンスを動かし、そのシーケンスの中で各負荷の動作を確認していく方式の検査装置であった。
【０００３】
【発明が解決しようとする課題】
しかしながら、従来の給湯機の制御装置の検査方法では、シーケンスを動かしてから一定時間以上経過しないと動作しない負荷が有り、検査に時間がかかるという問題があった。
【０００４】
本発明は、上記従来の問題点に鑑み、給湯機のシーケンスに頼らずに負荷を駆動して検査を短時間で行うことができる給湯機の制御装置の検査装置を提供することを目的とする。
【０００５】
【発明を解決するための手段】
本発明の給湯機の制御装置の検査装置は、リモートコントローラと給湯機の制御装置を２線式信号線で接続するとともに、信号の送信元を示すソースアドレスと受信先を示すディスティネーションアドレスと信号の内容を示すパケットファンクションコードと実際の情報を示すデータ部とから構成される通信信号にて相互に通信するように構成し、給湯機の制御装置には通信信号を受信する受信装置と受信装置からの信号に従って燃焼制御を行う燃焼制御装置と燃焼制御装置からの情報をリモートコントローラへ送信する送信装置とを設け、燃焼制御装置は、受信装置を介してリモートコントローラと給湯機との通信信号に使用されていない特定の組み合わせのソースアドレスとパケットファンクションコードを受信した場合に、データ部に記された情報に従い燃焼制御装置に接続された負荷を駆動するように構成し、２線式信号線に前記特定の組み合わせのソースアドレスとパケットファンクションコードと駆動する負荷を指定したデータ部とから構成される通信信号を送出してそのときの負荷の状態を判定する検査制御装置を設けたものである。
【０００６】
このように構成することで、検査制御装置から駆動したい負荷を記述した通信信号をリモートコントローラと給湯機との通信線である２線式信号線を使用して給湯機の制御装置に送信すると、給湯機の制御装置が受信した通信信号に従って任意の負荷を駆動させるので、給湯機のシーケンスを使用せず駆動したい負荷をすぐに駆動でき、時間をかけずに検査をすることができる。
【０００７】
また、前記特定の組み合わせのソースアドレスとパケットファンクションコードとデータ部を一定回数以上一致して連続受信したときにデータ部に記された情報に従い制御装置に接続された負荷を駆動する構成とすると、同一信号を複数回受信してから負荷を駆動するので、他の信号を誤検知して誤動作することを防止することができる。
【０００８】
また、前記特定の組み合わせのソースアドレスとパケットファンクションコードとデータ部に従って負荷を駆動しているときに、一定時間以内に同一のソースアドレスとパケットファンクションコードの組み合わせの信号を受信しないと、負荷の駆動を停止する構成とすると、誤動作により負荷駆動を開始しても一定時間内に駆動信号を受信しなければ負荷の駆動を停止することにより、誤動作を続けることを防止することができる。
【０００９】
また、前記特定の組み合わせのソースアドレスとパケットファンクションコードとデータ部のデータ部各１ビット毎に駆動する負荷を割り当てた構成とすると、一度に複数ビットを駆動状態にすることにより、複数の負荷を一度に駆動することができ、検査時間の短縮をすることができる。
【００１０】
【発明の実施の形態】
以下、本発明の給湯機の制御装置の検査装置の各実施形態について図１〜図５を参照して説明する。
【００１１】
（第１の実施形態）
まず、本発明の第１の実施形態の給湯機の制御装置の検査装置について、図１〜図３を参照して説明する。
【００１２】
図１において、１は給湯機の制御装置で、負荷２（２ａ、２ｂ、２ｃ）が接続されている。給湯機の制御装置１の内部には、リモートコントローラ１２からの情報を受信する受信装置５と、受信装置５からの信号に従って燃焼制御を行う燃焼制御装置４と、燃焼制御装置４からの情報をリモートコントローラ１２へ送信する送信装置３と、燃焼制御装置４からの制御信号に基づいて負荷２（２ａ、２ｂ、２ｃ）を駆動する駆動装置６とを備えている。給湯機の制御装置１とリモートコントローラ１２とは２線式信号線１１で接続されている。
【００１３】
７は、検査装置で、その内部には検査のために駆動すべき負荷２（２ａ、２ｂ、２ｃ）を指定する検査制御装置９と、検査制御装置９の信号に従って給湯機の制御装置１へ負荷駆動信号を送信する送信装置８と、負荷２（２ａ、２ｂ、２ｃ）の駆動状態を入力する入力装置１０とを備えている。給湯機の制御装置１と検査装置７とは２線式信号線１１で接続されている。
【００１４】
次に、２線式信号線１１を通して通信される通信信号のパケット構成を図２を参照して説明する。図２において、通信信号は、ソースアドレス（以下、ＳＡと記す）、受信先のディスティネーションアドレス（以下、ＤＡと記す）、パケットファンクションコード（以下、ＰＦＣと記す）、及びデータ部から成り、それぞれ４ビットで構成されている。ＳＡ、ＤＡは共に、リモートコントローラ用に０〜４が割り当てられ、給湯機の制御装置１用にはＦが、検査装置７にはＣが割り当てられている。給湯機の制御装置１とリモートコントローラ１２との通信用ＰＦＣとしては通常０が割り当てられており、給湯機の制御装置１と検査装置７との通信用ＰＦＣとしてはＣが割り当てられている。また、データ部としては負荷２ａには１が、負荷２ｂには２が、負荷２ｃには３がそれぞれ割り当てられている。
【００１５】
燃焼制御装置４の制御動作のアルゴリズムは、図３に示すように、前回受信したデータと一致すれば指示された負荷を駆動し、一致しなければ負荷を停止するようにしている。
【００１６】
次に、動作・作用について、検査装置７によって負荷２（２ａ、２ｂ、２ｃ）を駆動して検査する場合の例について説明する。例えば、負荷２ａを駆動したいときには、検査制御装置９にて送信装置８を介して給湯機の制御装置１へＣＦＣ１を送信する。すると、燃焼制御装置４がＣＦＣ１を受信し、それによって図３に示すように、駆動装置６を介して負荷２ａを駆動する。そして、検査制御装置９が入力装置１０を介して負荷２ａの状態を入力し、駆動されていれば正常、駆動されていなければ異常の判断を行う。
【００１７】
（第２の実施形態）
次に、本発明の第２の実施形態について、図４を参照して説明する。
【００１８】
図４は、本実施形態における給湯機の制御装置１の燃焼制御装置４のアルゴリズムを示す。第１の実施形態と異なるところは、２回同一データを受信したときに負荷２を駆動するようにしている点である。
【００１９】
このように同一信号を複数回受信してから負荷２を駆動するようにすることで、他の信号を誤検知して誤動作するのを防止できる。
【００２０】
（第３の実施形態）
次に、本発明の第３の実施形態について、図５を参照して説明する。
【００２１】
図５は、本実施形態における給湯機の制御装置１の燃焼制御装置４のアルゴリズムを示す。第１の実施形態と異なるところは、５秒以内に一定時間以内にＳＡ＝Ｃ、ＰＦＣ＝Ｃの組み合わせの信号を受信しないと、負荷２の駆動を停止するようにしている点である。
【００２２】
このように構成すると、誤動作により負荷２の駆動を開始しても一定時間内にＳＡ＝Ｃ、ＰＦＣ＝Ｃの組み合わせ信号を受信しなければ負荷２の駆動を停止することにより、誤動作を続けることを防止することができる。
【００２３】
（第４の実施形態）
次に、本発明の第４の実施形態について、図６を参照して説明する。
【００２４】
図６は、本実施形態における給湯機の制御装置１と検査装置７との通信信号のパケット構成を示す。第１の実施形態と異なるところは、データ部の各ビットに負荷を割り当てている点である。ビット０に負荷２ａを、ビット１に負荷２ｂを、ビット２に負荷２ｃを、割り当てている。こうすることによって、例えばＣＦＣ３を検査装置７から給湯機の制御装置１に送信することにより、負荷２ａと負荷２ｂとを同時に駆動することができる。
【００２５】
このように構成すると、一度に複数ビットを駆動状態にすることにより、複数の負荷２を一度に駆動することができ、検査時間の短縮をすることができる。
【００２６】
【発明の効果】
本発明の給湯機の制御装置の検査装置によれば、給湯機のシーケンスに頼らずに負荷を駆動することができるため、検査時間を短縮できる。また、リモートコントローラとの通信装置を使用するため別の回路を必要とせずコスト的にもスペース的にも有利である。
【図面の簡単な説明】
【図１】本発明の第１の実施形態の給湯機の制御装置の検査装置の構成図である。
【図２】同実施形態における２線式信号線で通信される通信信号のパケット構成の説明図である。
【図３】同実施形態における燃焼制御装置の制御動作のアルゴリズムを示すフロー図である。
【図４】本発明の第２の実施形態の給湯機の制御装置における燃焼制御装置の制御動作のアルゴリズムを示すフロー図である。
【図５】本発明の第３の実施形態の給湯機の制御装置における燃焼制御装置の制御動作のアルゴリズムを示すフロー図である。
【図６】本発明の第４の実施形態における給湯機の制御装置と検査装置との通信信号のパケット構成の説明図である。
【符号の説明】
１  給湯機の制御装置
２  負荷
３  送信装置
４  燃焼制御装置
５  受信装置
６  駆動装置
７  検査装置
８  送信装置
９  検査制御装置
１０  入力装置
１１  ２線式信号線
１２  リモートコントローラ
【図１】
2004226004.tif 000003
【図２】
2004226004.tif 000004
【図３】
2004226004.tif 000005
【図４】
2004226004.tif 000006
【図５】
2004226004.tif 000007
【図６】
2004226004.tif 000008